(57)【要約】      （修正有）【課題】異物の混入を可及的に抑制可能であると共に、加熱時に適度な内圧をかけたままで蒸気を逃がすことが可能な包装用容器の蓋を提供する。【解決手段】内部に食品を収容した状態で、電子レンジで加熱することが予定された包装用容器本体に被せる蓋において、天面に凹面を設け、凹面に複数本の切込み３２３を設けると共に、複数の切込みの間の部位に凸状のリブを設けた。凸状のリブに代え、凹状のリブを設けてもよい。リブを切込みの端部近傍に設けてもよい。切込みの延長上の間にリブを設けてもよい。天面に窪部を設け、窪部の底部を凹面状にすると共に、凹面状の底部に切込み及びリブを設けてもよい。【選択図】図１
0003220615.tif 000002
【実用新案登録請求の範囲】
【請求項１】
容器本体内部に食品を収容した状態で、電子レンジで加熱することが予定された包装用容器本体に被せる蓋であって、
天面に凹面を設けたこと、
該凹面に複数本の切込みを設けると共に、該複数の切込みの間の部位に凸状のリブを設けたこと、
を特徴とする包装用容器の蓋。
【請求項２】
凸状のリブに代え、凹状のリブを設けた請求項１記載の包装用容器の蓋。
【請求項３】
リブを切込みの端部近傍に設けた請求項１又は請求項２に記載の包装用容器の蓋。
【請求項４】
切込みの延長上の間にリブを設けた請求項１又は請求項２に記載の包装用容器の蓋。
【請求項５】
天面に壁部及び凹面状の底部より成る窪部を設け、該窪部の凹面状の底部に切込み及びリブを設けた請求項１乃至請求項４いずれかに記載の包装用容器の蓋。
【考案の詳細な説明】
【技術分野】
【０００１】
本考案は弁当や各種の調理済み食品等を収容する場合などに用いる食品包装用容器の蓋に関し、より詳しくは電子レンジで加熱した際に発生する蒸気を、外部に放出するための機構を備えると共に虫などの異物の混入を防ぐことが可能な包装用容器の蓋に関する。
【背景技術】
【０００２】
スーパーやコンビニエンスストアなどの小売店の店頭には、弁当や各種の調理済み食品が包装用容器に包装されて数多く陳列されている。
【０００３】
かかる包装用容器は、食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に弁を設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して水蒸気を外部に放出させる包装用容器が開示されている。
【０００７】
特許文献２には、容器本体のフランジあるいは蓋体のフランジのいずれか少なくとも一方に排気孔を形成した包装用容器が開示されている。
【０００８】
特許文献３には、包装用容器の蓋に切り込みを設けることで弁を形成し、蒸気を逃がす
ことが可能な包装用容器が開示されている。
【０００９】
特許文献４には、レーザー光線を照射することで蓋に排気孔を設けた包装用容器が開示
されている。
【００１０】
特許文献５には、天板部に容器本体側に窪んだ凹面を設け、当該凹面に切込みを設けた包装用容器の蓋が開示されている。
【先行技術文献】
【特許文献】
【００１１】
【特許文献１】特開２００１−９７４３６号公報
【特許文献２】特開２００７−２７６８３５号公報
【特許文献３】登録実用新案第３１３８６０１号公報
【特許文献４】特開２０１７−８１５９９号公報
【特許文献５】登録実用新案第３２１３１１０号公報
【考案の開示】
【考案が解決しようとする課題】
【００１２】
上記の通り食品等を包装した容器は、加熱時に蒸気を逃がす手段を設けることが望まれる。
【００１３】
他方で、かかる蒸気を逃がすための手段から、異物が混入することは防がなければならない。
【００１４】
また、加熱時に抵抗少なく蒸気が逃げて内圧が下がりすぎると、加熱調理が不良になる恐れがある。
【００１５】
そこで本考案は異物の混入を可及的に抑制可能である共に、加熱時に適度な内圧をかけたままで蒸気を逃がすことが可能な包装用容器の蓋を提供することを目的とする。
【課題を解決するための手段】
【００１６】
上記課題を解決する本考案の構成は、以下の通りである。
【００１７】
（１）  請求項１に記載の包装用容器の蓋は、容器本体内部に食品を収容した状態で、電子レンジで加熱することが予定された包装用容器本体に被せる蓋において、天面に凹面を設け、該凹面に複数本の切込みを設けると共に、該複数の切込みの間の部位に凸状のリブを設けて構成した。
【００１８】
（２）  請求項２に記載の包装用容器の蓋は、請求項１記載の考案において、凸状のリブに代え、凹状のリブを設けて構成した。
【００１９】
（３）  請求項３に記載の包装用容器の蓋は、請求項１又は請求項２記載の考案において、リブを切込みの端部近傍に設けて構成した。
【００２０】
（４）  請求項４に記載の包装用容器の蓋は、請求項１又は請求項２記載の考案において、切込みの延長上の間にリブを設けて構成した。
【００２１】
（５）  請求項５に記載の包装用容器の蓋は、請求項１乃至請求項４いずれかに記載の考案において、天面に壁部及び凹面状の底部より成る窪部を設け、該窪部の凹面状の底部に切込み及びリブを設けて構成した。
【考案の効果】
【００２２】
上記のように構成される本考案が、如何に作用して課題を解決するかを図面を参照しながら概説する。
【００２３】
図１は請求項５に記載の考案を示すものである。この図１を用いて本考案の作用を概説する。
【００２４】
本考案に係る包装用容器の蓋３２０は、図１に示される容器本体６０に図示されない食品等を入れた状態で被せて使用されるものである。かかる状態で電子レンジで加熱することで、容器本体６０内部で発生する蒸気が、切込み３２３，３２３の間の部位３２３Ｓを持ち上げ、その結果生じる間隙から蒸気を外部へ放出するものである。
【００２５】
かようにして本考案によれば蒸気を外部へ放出することが可能であるが、他方で当該部位３２３Ｓには凹リブ３２２が設けてあることから、形状抵抗が増し、部位３２３Ｓが持ち上がることに対する抗力が大きいものとなる。
【００２６】
すなわち、部位３２３Ｓが容易には持ち上がらないことから、簡単には間隙が生ぜず、つまりは、虫その他の異物の混入を可及的に抑制することが可能となるのである。
【００２７】
更には、部位３２３Ｓが容易には持ち上がらないことから容器本体６０内部の内圧が高まり、例えば食品に肉汁がより浸み込み易くなるといった効果も生じる。
【００２８】
また、蒸気による内圧が下がると、部位３２３Ｓが下がり、間隙が閉じられる結果として、内圧が高い状態を維持可能であり、その結果、調理時間が短くて済むといった効果も生じる。
【００２９】
以上は請求項５記載の考案を例に概説したが、他の請求項記載の考案いずれもが、複数の切込みと、当該切込みの間あるいは切込みの延長上の間に設けられたリブを有するものであり、上記請求項５記載の考案と同様の効果を奏するものである。
【図面の簡単な説明】
【００３０】
【図１】請求項５記載の考案の実施状態を示す説明図
【図２】図１におけるＡ‐Ａ線断面図
【図３】図１におけるＢ‐Ｂ線断面図
【図４】請求項５記載の考案の他の実施形態を示す斜視図
【図５】請求項５記載の考案の他の実施形態を示す斜視図
【図６】図５におけるＣ‐Ｃ線断面図
【図７】図５におけるＤ‐Ｄ線断面図
【図８】請求項５記載の考案の他の実施形態を示す斜視図
【図９】請求項１記載の考案の斜視図
【図１０】図９におけるＥ‐Ｅ線断面図
【図１１】請求項２記載の考案の斜視図
【図１２】図１１におけるＦ‐Ｆ線断面図
【図１３】本考案の実施形態を示す説明断面図
【図１４】請求項３記載の考案の斜視図
【図１５】請求項４記載の考案の斜視図
【図１６】請求項４記載の考案の要部拡大図
【考案を実施するための形態】
【００３１】
一、以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、図中Ｕは上方を、Ｓは下方を指すものである。
【００３２】
二、  以下、請求項５記載に係る考案につき概説する。
【００３３】
請求項５記載にかかる包装用容器の蓋３２０は、図１に示すように容器本体６０の開口部６１に嵌め込まれて使用されるものである。容器本体部６０内には食品が収容され、蓋３２０が被せられた状態のまま、電子レンジのマイクロ波照射により加熱調理されるものである。また、図１３に示さるように、蓋３２０を容器本体６０に嵌合した状態で、フィルム４０でシュリンクパックして販売され、そのままの状態でレンジで加熱されることも多い。
【００３４】
蓋３２０は上方から見て円形に図示されているが、その形状は容器本体６０の開口部に応じて適宜であり、多角形や楕円形等の形状とすることも可能である。
【００３５】
蓋３２０は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能である。
【００３６】
以上の蓋３２０の使用法や形状・材質は、請求項１乃至請求項４いずれかに記載の考案でも同様である。
【００３７】
図１や図２、図３に示すように、蓋３２０の天面１１には容器本体６０側、すなわち下方に向かって略直角に屈曲された壁部３２４ｂと、壁部３２４ｂの下端において略直角に屈曲された底部３２４ａを備えた窪部３２４が設けられている。
【００３８】
この窪部３２４の底部３２４ａは凹面状に形成されており、該底部３２４ａには複数本の切込み３２３・・が設けられている。この切込み３２３・・の間の部位３２３Ｓには、下方に突出した凹リブ３２２が設けられている。
【００３９】
窪部３２４が設けられているのは、切込み３２３と、指やシュリンクパックのフィルムとの過度の接触を避けるため、すなわち指やフィルムで切込み３２３近傍が押され、間隙が生じることを抑制するためである。
【００４０】
図１３に示される容器本体部６０と蓋３２０の嵌合は、内嵌合と称される形態であり、蓋３２０の外周部１３が容器本体６０の開口部６１に嵌り込む形態である。むろん、嵌合形態は図示の内嵌合の他に外嵌合とすることもできる。例えば、蓋の縁部が容器本体の開口部に対して外側から被さる形態である。この嵌合形態は請求項１乃至請求項４いずれかに記載の考案においても同様である。
【００４１】
なお、図４に示すように、凹リブ３２２の個数は２個以上設けても構わない。
【００４２】
図５乃至図８は、凸リブ３２１を設けた蓋３２０を示すものである。窪部３２４の底部３２４ａには上方に突出した凸リブ３２１が設けられている。凸リブ３２１の個数は図５や図６に示すように１個でも構わないし、図８に示すように複数でも構わない。
【００４３】
三、  以下、請求項１記載に係る考案につき概説する。
【００４４】
図９及び図１０は請求項１記載に係る包装用容器の蓋１００を示すものである。
【００４５】
請求項１記載の蓋１００においては、天面１１に容器本体６０側、すなわち下方に湾曲した凹面１０１が設けられている。ここに凹面とは、上記窪部が側壁を有するのに対し、側壁を有さず、天面から直接、曲線状に湾曲した面をいう。
【００４６】
そしてこの凹面１０１には、複数本の切込み１０２・・を設けると共に、該複数の切込み１０２・・の間の部位１０２Ｓには上方に突出した凸状のリブ１０３が設けられている。なお、図中凸リブ１０３の個数は１本であるが、むろんかかる限定を受けるものではなく、複数個設けても構わない。
【００４７】
四、  以下、請求項２記載に係る考案につき概説する。
【００４８】
図１１及び図１２は請求項２記載に係る包装用容器の蓋２００を示すものである。
【００４９】
請求項２記載の蓋２００においては、天面１１に容器本体６０側、すなわち下方に湾曲した凹面２０１が設けられている。そしてこの凹面２０１には、複数本の切込み２０２・・を設けると共に、該複数の切込み２０２・・の間の部位２０２Ｓには下方に突出した凹状のリブ２０３が設けられている。なお、図中凹リブ２０３の個数は１本であるが、むろんかかる限定を受けるものではなく、複数個設けても構わない。
【００５０】
五、  以下、請求項３記載に係る考案につき概説する。
【００５１】
図１４は請求項３記載にかかる包装容器の蓋４００を示すものである。
【００５２】
請求項３記載の蓋４００においては、リブ４０１を切込み４０２の端部近傍に設けてある。図中リブ４０１は二個設けてあるが、むろんかかる限定を受けるものではなく、１個でも３個以上でも構わない。また、図中リブ４０１は上方に突出した凸リブであるが、むろんかかる限定を受けるものではなく、下方に突出した凹リブでも構わない。
【００５３】
六、  以下、請求項４記載に係る考案につき概説する。
【００５４】
図１５は請求項４記載に係る包装用容器の蓋５００を示すものであり、図１６は切込み及びリブ付近を拡大して示したものである。
【００５５】
請求項４記載の蓋５００においては、切込み５０２の延長上の間にリブ５０１を設けてある。ここに切込み５０２の延長上の間とは、図１６に示すように切込み５０２から長さ方向に伸びる仮想線Ｘと仮想線Ｘとの間の空間Ｖをいう。
【００５６】
また、図中リブ５０１は二個設けてあるが、むろんかかる限定を受けるものではなく、１個でも３個以上でも構わない。また、図中リブ５０１は上方に突出した凸リブであるが、むろんかかる限定を受けるものではなく、下方に突出した凹リブでも構わない。
【符号の説明】
【００５７】
１００・・包装用容器の蓋
１０１・・凹面
１０２・・切込み
１０２Ｓ・・切込みの間の部位
１０３・・凸リブ
２００・・包装用容器の蓋
２０１・・凹面
２０２・・切込み
２０２Ｓ・・切込みの間の部位
２０３・・凸リブ
３２０・・包装用容器の蓋
３２１・・凸リブ
３２２・・凹リブ
３２３・・切込み
３２３Ｓ・・切込みの間の部位
３２４・・窪部
３２４ａ・・底部
４００・・包装用容器の蓋
４０１・・リブ
４０２・・切込み
５００・・包装用容器の蓋
５０１・・リブ
５０２・・切込み
【図１】
0003220615.tif 000003
【図２】
0003220615.tif 000004
【図３】
0003220615.tif 000005
【図４】
0003220615.tif 000006
【図５】
0003220615.tif 000007
【図６】
0003220615.tif 000008
【図７】
0003220615.tif 000009
【図８】
0003220615.tif 000010
【図９】
0003220615.tif 000011
【図１０】
0003220615.tif 000012
【図１１】
0003220615.tif 000013
【図１２】
0003220615.tif 000014
【図１３】
0003220615.tif 000015
【図１４】
0003220615.tif 000016
【図１５】
0003220615.tif 000017
【図１６】
0003220615.tif 000018